(57)【要約】【課題】ブルートゥース装置とサーバの双方向コミュニケーションを向上させる。【解決手段】本発明に係る発明は、クラウドサーバと、ユニークな装置識別コードを有する複数のブルートゥース装置と、複数のブルートゥース装置が通信接続される少なくとも一つのＩｏＴ（Internet of Things）ゲートウエイと、を含み、少なくとも一つのＩｏＴゲートウエイがクラウドサーバに通信接続され、複数のブルートゥース装置の各々の装置識別コードが、それぞれＩｏＴゲートウエイを介してクラウドサーバに伝送され、クラウドサーバが複数のブルートゥース装置の各々の装置識別コードを記録し、制御装置が、クラウドサーバ中の複数のブルートゥース装置の各々の装置識別コードの一方により、制御命令を対応のブルートゥース装置に送信する、クラウドブルートゥース装置管理システムを提供する。【選択図】図１
2020088707.tif 000002
【特許請求の範囲】
【請求項１】
クラウドサーバと、
それぞれ重複しない装置識別コードを有する複数のブルートゥース装置と、
前記複数のブルートゥース装置が通信接続され、前記クラウドサーバに通信接続される少なくとも一つのＩｏＴ（Internet of Things）ゲートウエイと、
を含み、
前記複数のブルートゥース装置の各々の装置識別コードが、それぞれＩｏＴゲートウエイを介して前記クラウドサーバに伝送され、前記クラウドサーバが前記複数のブルートゥース装置の各々の装置識別コードを記録し、
制御装置が、前記クラウドサーバ中の前記複数のブルートゥース装置の各々の装置識別コードの一方により、制御命令を前記複数のブルートゥース装置の各々の装置識別コードの一方に対応する前記ブルートゥース装置に送信することによって、前記複数のブルートゥース装置の各々の装置識別コードの一方に対応する前記ブルートゥース装置が前記制御命令に対応する実行項目を実行する、ことを特徴とするクラウドブルートゥース装置管理システム。
【請求項２】
前記装置識別コードが、前記複数のブルートゥース装置の媒体アクセス制御アドレスコードである、ことを特徴とする請求項１に記載のクラウドブルートゥース装置管理システム。
【請求項３】
前記複数のブルートゥース装置の前記複数の装置識別コードが、前記クラウドサーバのブルートゥース装置管理データベースに格納される、ことを特徴とする請求項１に記載のクラウドブルートゥース装置管理システム。
【請求項４】
制御装置に通信接続されるクラウドブルートゥース装置管理装置と、
第１装置識別コードを有する第１ブルートゥース装置と、
第２装置識別コードを有する第２ブルートゥース装置と、
を含み、
前記第１ブルートゥース装置及び前記第２ブルートゥース装置が前記クラウドブルートゥース装置管理装置に通信接続され、
前記第１装置識別コード及び前記第２装置識別コードがそれぞれ前記クラウドブルートゥース装置管理装置に伝送され、前記クラウドブルートゥース装置管理装置が前記第１ブルートゥース及び前記第２ブルートゥース装置の各々の装置識別コードを記録し、
前記制御装置は、前記クラウドブルートゥース装置管理装置中の前記第１装置識別コード又は前記第２装置識別コードにより、前記クラウドブルートゥース装置管理装置を介して制御命令を前記第１ブルートゥース装置又は前記第２ブルートゥース装置に送信することによって、前記第１ブルートゥース装置又は前記第２ブルートゥース装置が前記制御命令に対応する実行項目を実行する、ことを特徴とするクラウドブルートゥース装置管理システム。
【発明の詳細な説明】
【技術分野】
【０００１】
本発明は、ブルートゥース装置管理システムに関し、特にクラウドブルートゥース装置管理システムに関する。
【背景技術】
【０００２】
現在、ブルートゥース通信プロ卜コルは、各ブルートゥース装置がＭＥＳＨ技術で互いに情報を配信できるように、ブルートゥース５.０の規格が既に存在するが、ブルートゥース装置のデータがＨＥＸ ＳＴＲＩＮＧの形式であるので、ゲートウエイ（Ｇａｔｅｗａｙ）を介してサーバにアップロードしても、有効なデータ管理ができない。また、サーバとブルートゥース装置との有効なコミュニケーションも実現できない。
【発明の概要】
【発明が解決しようとする課題】
【０００３】
これに鑑みて、ブルートゥース装置とサーバの双方向コミュニケーションが向上されるブルートゥース装置管理システムの提供は、業界の重要な課題である。
【課題を解決するための手段】
【０００４】
本発明における発明は、クラウドサーバと、それぞれ重複しない装置識別コードを有する複数のブルートゥース装置と、複数のブルートゥース装置が通信接続される少なくとも一つのＩｏＴ（Internet of Things）ゲートウエイと、を含み、少なくとも一つのＩｏＴゲートウエイがクラウドサーバに通信接続され、複数のブルートゥース装置の各々の装置識別コードが、それぞれＩｏＴゲートウエイを介してクラウドサーバに伝送され、クラウドサーバが複数のブルートゥース装置の各々の装置識別コードを記録し、制御装置が、クラウドサーバ中の複数のブルートゥース装置の各々の装置識別コードの一方により、制御命令を複数のブルートゥース装置の各々の装置識別コードの一方に対応するブルートゥース装置に送信することによって、複数のブルートゥース装置の各々の装置識別コードの一方に対応するブルートゥース装置が制御命令に対応する実行項目を実行する、クラウド仮想ブルートゥース装置管理システムが提供される。
【０００５】
本発明における発明は、クラウドサーバと、第１装置識別コードを有する第１ブルートゥース装置と、第２装置識別コードを有する第２ブルートゥース装置と、第１ブルートゥース装置及び第２ブルートゥース装置が通信接続される第１ＩｏＴゲートウエイと、を含み、第１ＩｏＴゲートウエイがクラウドサーバに通信接続され、第１装置識別コード及び第２装置識別コードが、第１ＩｏＴゲートウエイを介してクラウドサーバに伝送され、クラウドサーバが第１ブルートゥース装置の各々の装置識別コードを記録し、制御装置は、クラウドサーバ中の第１装置識別コード又は第２装置識別コードにより、上記クラウドサーバを介して制御命令を上記第１ブルートゥース装置又は上記第２ブルートゥース装置に送信することによって、第１ブルートゥース装置又は第２ブルートゥース装置が上記制御命令に対応する実行項目を実行する、クラウド仮想ブルートゥース管理システムが提供される。
【０００６】
要するに、本発明における発明は、ブルートゥース装置の装置識別コードを利用して、クラウドサーバの識別と確認により、複数のブルートゥース装置に対する位置決めやアドレッシングを有効に実施することによって、制御装置又はブルートゥース装置がクラウドサーバを介して他のブルートゥース装置とのコミュニケーションを有効に実施することができる。
【図面の簡単な説明】
【０００７】
【図１】本発明における実施例のクラウドブルートゥース装置管理システムの模式図である。
【図２】は制御装置が本発明における実施例のクラウドブルートゥース装置管理システムによりブルートゥース装置を制御する場合の模式図である。
【発明を実施するための形態】
【０００８】
以下、特定の具体的な実施例により、本発明に係る実施形態を説明する。当業者が、本明細書に開示される内容により本発明の利点と効果を容易に把握することができる。本発明は、他の異なる具体的な実施例に実施又は適用され、本明細書中の各細部も、異なる観点及び適用に基づいて、本発明の要旨の範囲内で各種の修飾と変更されてもよい。なお、本発明の図面は単に説明するためのものであり、実際のサイズで描画されていない。本文で第１、第２、第３などの用語で各種の素子などを記述する場合があるが、これらの素子はこのような用語に制限されず、これらの用語は、ある素子と他の素子を区別するためのものにすぎない。なお、数又は他の類似のものを言及する場合、特に説明しない限り、本発明の適用範囲は、その数又は他の類似のものに制限されない。以下の実施形態は、さらに具体的に本発明の関連技術内容を説明するが、開示される内容が本発明の技術范?を制限するものでない。
【０００９】
（本発明に係るクラウドブルートゥース装置管理システムの実施例）
図１を参照すると、図１は、本発明における実施例のクラウドブルートゥース装置管理システムの模式図である。
【００１０】
本実施例において、クラウドブルートゥース装置管理システム１は、クラウドブルートゥース装置管理装置１―１及び複数のブルートゥース装置を含み。また、本実施例において、クラウドブルートゥース装置管理装置１―１は、クラウドサーバ１１、第１ＩｏＴゲートウエイ２１、及び第２ＩｏＴゲートウエイ２２を含む。
【００１１】
本実施例において、クラウドブルートゥース装置管理システム１は、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の８つのブルートゥース装置を含む。
【００１２】
本実施例において、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８は、第１ＩｏＴゲートウエイ２１、第２ＩｏＴゲートウエイ２２に第１無線通信で接続される。クラウドサーバ１１は、第１ＩｏＴゲートウエイ２１、第２ＩｏＴゲートウエイ２２に第２無線通信又は有線通信で接続されるが、本発明はこの接続態様には限定されない。
【００１３】
本実施例において、第１無線通信は、無線通信プロ卜コル（Ｗｉｆｉ）、ＬｏＲａ通信プロ卜コル、Ｓｉｇｆｏｘ通信プロ卜コル、第４世代移動通信技術通信プロ卜コル（４Ｇ）、第５世代移動通信技術通信プロ卜コル（５Ｇ）、又は将来の移動通信プロ卜コルを含み、実際要求に応じて調整、設計されてよく、本発明はこれには限定されない。本実施例において、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８は、ブルートゥース通信プロ卜コルにより第１ＩｏＴゲートウエイ２１、第２ＩｏＴゲートウエイ２２に接続される。
【００１４】
第２無線通信は、無線通信プロ卜コル（Ｗｉｆｉ）、ＬｏＲａ通信プロ卜コル、Ｓｉｇｆｏｘ通信プロ卜コル、第４世代移動通信技術通信プロ卜コル（４Ｇ）、第５世代移動通信技術通信プロ卜コル（５Ｇ）、又は将来の移動通信プロ卜コルを含み、実際需求に応じて調整、設計されてよく、本発明はこれらプロトコルには限定されない。
【００１５】
本実施例において、第１ブルートゥース装置３０１、第２ブルートゥース装置３０２、第３ブルートゥース装置３０３、第４ブルートゥース装置３０４は、第１ＩｏＴゲートウエイ２１に第１無線通信で接続される。即ち、第１ブルートゥース装置３０１、第２ブルートゥース装置３０２、第３ブルートゥース装置３０３、第４ブルートゥース装置３０４は、ブルートゥース通信プロ卜コルにより第１ＩｏＴゲートウエイ２１とデータの伝送を行うことができる。
【００１６】
しかしながら、第５ブルートゥース装置３０５、第６ブルートゥース装置３０６、第７ブルートゥース装置３０７、及び第８ブルートゥース装置３０８も、第２ＩｏＴゲートウエイ２２に無線通信で接続される。即ち、第５ブルートゥース装置３０５、第６ブルートゥース装置３０６、第７ブルートゥース装置３０７、及び第８ブルートゥース装置３０８は、ブルートゥース通信プロ卜コルにより第２ＩｏＴゲートウエイ２２とデータの伝送を行うことができる。
【００１７】
第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８は、それぞれユニークな且つ個別の装置識別コードを有する。即ち、第１ブルートゥース装置３０１は、第１装置識別コードを有する。第２ブルートゥース装置３０２は、第２装置識別コードを有する。第３ブルートゥース装置３０３は、第３装置識別コードを有する。第４ブルートゥース装置３０４は、第４装置識別コードを有する。第５ブルートゥース装置３０５は、第５装置識別コードを有する。第６ブルートゥース装置３０６は、第６装置識別コードを有する。第７ブルートゥース装置３０７は、第７装置識別コードを有する。第８ブルートゥース装置３０８は、第８装置識別コードを有する。
【００１８】
本実施例において、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の各々の装置識別コードは、それぞれ第１ＩｏＴゲートウエイ２１又は第２ＩｏＴゲートウエイ２２を介してクラウドサーバ１１に伝送される。
【００１９】
クラウドサーバ１１は、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の各々の第１装置識別コード、第２装置識別コード、第３装置識別コード、第４装置識別コード、第５装置識別コード、第６装置識別コード、第７装置識別コード、及び第８装置識別コードを記録することができる。
【００２０】
なお、本実施例において、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８は、第１データ形式で情報を伝送することができる。
【００２１】
更に、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８が第１ＩｏＴゲートウエイ２１又は第２ＩｏＴゲートウエイ２２により第１データ形式でデータをクラウドサーバ１１に伝送する場合、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８に伝送されるデータが、第１データ形式から第２データ形式へ転換される。また、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の各々のデータは、第１装置識別コード、第２装置識別コード、第３装置識別コード、第４装置識別コード、第５装置識別コード、第６装置識別コード、第７装置識別コード、及び第８装置識別コードにより区別して記録される。
【００２２】
本実施例において、第１装置識別コード、第２装置識別コード、第３装置識別コード、第４装置識別コード、第５装置識別コード、第６装置識別コード、第７装置識別コード、及び第８装置識別コードは、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の各々の媒体アクセス制御アドレスコードである。他の実施例において、第１装置識別コード、第２装置識別コード、第３装置識別コード、第４装置識別コード、第５装置識別コード、第６装置識別コード、第７装置識別コード、及び第８装置識別コードは、ブルートゥース装置におけるユニークな且つ個別の識別コードであってよく、本発明はこれらの識別コードには限定されない。
【００２３】
図２を参照すると、図２は、制御装置が本発明における実施例のクラウドブルートゥース装置管理システムによりブルートゥース装置を制御する場合の模式図である。
【００２４】
本実施例において、制御装置５は、クラウドブルートゥース装置処理装置１―１のクラウドサーバ１１に第３無線通信又は有線通信で接続される。本実施例において、第３無線通信は、無線通信プロ卜コル（Ｗｉｆｉ）、ＬｏＲａ通信プロ卜コル、Ｓｉｇｆｏｘ通信プロ卜コル、第４世代移動通信技術通信プロ卜コル（４Ｇ）、第５世代移動通信技術通信プロ卜コル（５Ｇ）、又は将来の移動通信プロ卜コルを含み、設計者が実際要求に応じて調整、設計されてよく、本発明はこれらプロトコルには限定されない。
【００２５】
本実施例において、制御装置５は、クラウドサーバ１１のブルートゥース装置管理データベース１１０から各ブルートゥース装置の装置識別コード、例えば、第１ブルートゥース装置３０１の第１装置識別コードを取得することができる。制御装置５は、第１ブルートゥース装置３０１の第１装置識別コードにより、制御命令を第１装置識別コードに対応する第１ブルートゥース装置３０１に送信することによって、第１装置識別コードの第１ブルートゥース装置が制御命令に対応する実行項目を実行することができる。
【００２６】
即ち、制御装置５は、制御命令及び第１装置識別コードを有する制御信号を、クラウドサーバ１１に送信し、クラウドサーバ１１により制御装置５から伝送された第１装置識別コードを、ブルートゥース装置管理データベース１１０中の各装置識別コードと比較し、第１ＩｏＴゲートウエイ２１を介して第１ブルートゥース装置３０１に伝送することによって、第１装置識別コードに対応する第１ブルートゥース装置３０１が制御装置５の制御命令に対応する実行項目を実行することができる。本発明は、これらの実行項目に対して限定されない。
【００２７】
図１を参照すると、制御命令の送信方は、第１ＩｏＴゲートウエイ２１又は第２ＩｏＴゲートウエイ２２に接続される第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の一方であってもよい。
【００２８】
即ち、第１ブルートゥース装置３０１、第２ブルートゥース装置３０２、第３ブルートゥース装置３０３、第４ブルートゥース装置３０４、第５ブルートゥース装置３０５、第６ブルートゥース装置３０６、第７ブルートゥース装置３０７、及び第８ブルートゥース装置３０８の何れの一方は、制御命令を他のブルートゥース装置に送信する場合、制御命令及び目的装置であるブルートゥース装置に対応する装置識別コードを、第１ＩｏＴゲートウエイ２１又は第２ＩｏＴゲートウエイ２２を介してクラウドサーバ１１に伝送し、クラウドサーバ１１により装置識別コードをブルートゥース装置管理データベース中の各装置識別コードと比較して、どのブルートゥース装置に送信されたかを確認する。確認された後、クラウドサーバ１１は、制御命令を目的装置に送信して、目的装置が制御命令に対応する実行項目を実行する。
【００２９】
例として、第１ブルートゥース装置３０１が制御命令を第４ブルートゥース装置３０４及び第８ブルートゥース装置３０８に送信したい場合、第１ブルートゥース装置３０１は、第１ＩｏＴゲートウエイ２１を介して、制御命令及び第４ブルートゥース装置３０４に対応する第４装置識別コード及び第８ブルートゥース装置識別コードをクラウドサーバ１１に送信する。クラウドサーバ１１は、判断により、第４装置識別コードに対応する第４ブルートゥース装置３０４及び第８装置識別コードに対応する第８ブルートゥース装置３０８を送信するように確認する。クラウドサーバ１１は、それぞれ第１ＩｏＴゲートウエイ２１及び第２ＩｏＴゲートウエイ２２を介して、制御命令を第４ブルートゥース装置３０４及び第８ブルートゥース装置３０８に送信する。第４ブルートゥース装置３０４及び第８ブルートゥース装置３０８は、それぞれ制御命令に対応する実行項目を実行する。
【００３０】
本実施例において、ＩｏＴゲートウエイ、ブルートゥース装置の数は、実際要求に応じて調整、設定されてよく、本発明は上述の数には限定されない。
【００３１】
要するには、本発明における実施例は、ブルートゥース装置の装置識別コードを利用して、クラウドサーバの識別と確認により、複数のブルートゥース装置に対する位置決め、アドレッシングを有効に実施することによって、制御装置又はブルートゥース装置がクラウドサーバを介して他のブルートゥース装置とのコミュニケーションを有効に実施することができる。
【００３２】
上述したのは本発明の好ましい実施可能な実施例に過ぎず、本発明の範囲を限定するためのものではなく、本発明の特許請求の範囲に基づき為された均等の変化と変形は、全て本発明の特許請求の範囲に属すべきものである。
【符号の説明】
【００３３】
１    クラウドブルートゥース装置管理システム
１１    クラウドサーバ
２１    第１ＩｏＴゲートウエイ
２２    第２ＩｏＴゲートウエイ
３０１    第１ブルートゥース装置
３０２    第２ブルートゥース装置
３０３    第３ブルートゥース装置
３０４    第４ブルートゥース装置
３０５    第５ブルートゥース装置
３０６    第６ブルートゥース装置
３０７    第７ブルートゥース装置
３０８    第８ブルートゥース装置
５    制御装置
１―１    クラウドブルートゥース装置管理装置
１１０    ブルートゥース装置管理データベース
【図１】
2020088707.tif 000003
【図２】
2020088707.tif 000004